Podtech/llm-jp-corpus-v4-ja_patent huggingface dataset:
【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
動作時、第１の分光分布を有する第１の光を放出する複数の第１の固体光源と、
互いに対してゼロとは異なる角度で延在する第１の光入力表面及び第１の光出口表面と、少なくとも１つの第１の更なる表面とを含む第１の光ガイドであって、第１の光入力表面において第１の分光分布を有する第１の光を受け取り、第１の光を第１の光出口表面に案内し、第１の分光分布を有する第１の光を第１の光出口表面から取り出し、前記複数の第１の光源が第１の光ガイドの第１の光入力表面に隣接し且つ光学接触して配置されている、第１の光ガイドと、
第１の光ガイドの第１の光出口表面に配置された少なくとも１つの蛍光素子であって、前記少なくとも１つの蛍光素子は、第２の光入力表面と、第２の光出口表面と、少なくとも１つの第２の更なる表面と、を含み、第２の光入力表面と第２の光出口表面とが互いに対しゼロとは異なる角度で延在し、前記少なくとも１つの蛍光素子は、第２の光入力表面において第１の分光分布を有する第１の光を受け取り、第１の分光分布を有する第１の光の少なくとも一部を第２の分光分布を有する第２の光に変換し、第２の光を第２の光出口表面に案内し、第２の分光分布を有する第２の光を第２の光出口表面から取り出す、前記少なくとも１つの蛍光素子とを含む、発光デバイスであって、
前記発光デバイスが、第２の光入力表面に対向し且つ平行な前記少なくとも１つの蛍光素子の表面に又は表面上に配置された少なくとも１つの第１のヒートシンク要素を更に含む、発光デバイス。
【請求項２】
第１の光ガイドは、第１の屈折率を有し、前記少なくとも１つの蛍光素子が第２の屈折率を有し、前記少なくとも１つの蛍光素子の第２の屈折率が第１の光ガイドの第１の屈折率よりも大きい、請求項１に記載の発光デバイス。
【請求項３】
光を第１の光ガイドから取り出し、前記少なくとも１つの蛍光素子に取り込み、第１の光ガイドと前記少なくとも１つの蛍光素子との間に配置されているカップリング要素を更に含む、請求項１又は２に記載の発光デバイス。
【請求項４】
第１の光ガイドは第１の屈折率を有し、前記少なくとも１つの蛍光素子は第２の屈折率を有し、前記カップリング要素は第３の屈折率を有し、前記カップリング要素の第３の屈折率は、前記少なくとも１つの蛍光素子の第２の屈折率及び第１の光ガイドの第１の屈折率の少なくとも１つよりも小さい、請求項３に記載の発光デバイス。
【請求項５】
複数の光源が、第１の光ガイドの少なくとも１つの第１の更なる表面に隣接し且つ光学接触して配置されている、請求項１乃至４の何れか一項に記載の発光デバイス。
【請求項６】
第１の光ガイドの第１の光出口表面の面積は、第１の光入力表面の面積の多くとも２分の１である、請求項１乃至５の何れか一項に記載の発光デバイス。
【請求項７】
第１の光ガイドは、入射光を、入射光の分光分布とは異なる分光分布を有する変換済みの光に変換する、請求項１乃至６の何れか一項に記載の発光デバイス。
【請求項８】
第１の光ガイドの少なくとも１つの第１の更なる表面に設けられる少なくとも１つの更なる光源を更に有する、請求項１乃至７の何れか一項に記載の発光デバイス。
【請求項９】
前記少なくとも１つのヒートシンク要素は、１Ｗ／（Ｋ＊ｍ）超、１０Ｗ／（Ｋ＊ｍ）超又は２０Ｗ／（Ｋ＊ｍ）超の熱伝導率を有する材料で作製される、請求項１乃至８の何れか一項に記載の発光デバイス。
【請求項１０】
前記少なくとも１つの蛍光素子の少なくとも１つの第１の更なる表面の１つに配置された少なくとも１つの更なるヒートシンク要素を更に含む、請求項１乃至９の何れか一項に記載の発光デバイス。
【請求項１１】
第１の光ガイドから光を取り出す少なくとも１つのカップリング要素を更に含み、前記カップリング要素は、前記少なくとも１つの蛍光素子とは逆を向いている第１の光ガイドの表面に配置されている、請求項１乃至１０の何れか一項に記載の発光デバイス。
【請求項１２】
動作時、第３の分光分布を有する第３の光を放出する少なくとも１つの第２の光源と、
第３の光入力表面及び第３の光出口表面を含む第２の光ガイドとを更に含み、
第２の光ガイドが、第３の分光分布を有する第３の光を第３の光入力表面で受け取り、第３の光を第３の光出口表面に案内し、第３の分光分布を有する第３の光を第３の光出口表面から取り出し、
前記蛍光素子は、第２の光ガイドの第３の光出口表面から取り出された第３の分光分布を有する第３の光を受け取り、第３の光を第２の光出口表面に案内し、第３の分光分布を有する第３の光を第２の光出口表面から取り出す、請求項１乃至１１の何れか一項に記載の発光デバイス。
【請求項１３】
第２の光ガイドは、第３の分光分布を有する第３の光の少なくとも一部を第４の分光分布を有する第４の光に変換し、第４の光を第３の光出口表面に案内し、第４の分光分布を有する第４の光を第３の光出口表面から取り出す、請求項１２に記載の発光デバイス。
【請求項１４】
デジタルプロジェクション、自動車照明、舞台照明、店舗照明、家庭用照明、アクセント照明、スポット照明、劇場照明、光ファイバ照明、表示システム、警告照明システム、医療照明用途、装飾照明用途の１つ以上で使用される、請求項１乃至１３の何れか一項に記載の発光デバイスを含む、ランプ、照明器具又は照明システム。
【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
電子デバイスにおいて動作する方法であって、
ユニバーサルシリアルバス(USB)ポートに結合されたUSBプラグのデータラインに電流源を印加するステップと、
前記電流源が印加される間、前記データラインが、所定の時間期間の後、LOW状態であるのか、それともHIGH状態であるのかを判定するステップと、
前記データラインが前記LOW状態であるとき、前記USBポートをダウンストリームポートとして特定するステップと、
前記データラインが前記HIGH状態であるとき、前記USBポートを専用充電ポートとして特定するステップと
を含む方法。
【請求項２】
前記データラインに前記電流源を印加するステップが、データ接触検出段階の一部として前記データラインに前記電流源を印加するステップを含む、請求項1に記載の方法。
【請求項３】
前記データ接触検出段階の一部として前記データラインに前記電流源を印加するステップが、900ミリ秒よりも長い時間期間の間、前記データラインに前記電流源を印加するステップを含む、請求項2に記載の方法。
【請求項４】
前記USBプラグの前記データラインに前記電流源を印加するステップが、
データマイナスラインにおけるプルダウン抵抗が無効にされる間、前記USBプラグのデータプラスラインに前記電流源を印加するステップ、または
前記USBプラグのデータマイナスラインに前記電流源を印加するステップ
を含む、請求項1に記載の方法。
【請求項５】
前記USBポートをダウンストリームポートとして特定するステップと、
前記データラインから前記電流源を外すステップと、
データプラスラインに電圧源を印加するステップと、
データマイナスラインを基準電圧と比較するステップと、
前記データマイナスラインが前記基準電圧未満であるとき、前記USBポートを標準ダウンストリームポートとして特定するステップと、
前記データマイナスラインが少なくとも実質的に前記基準電圧に等しいとき、前記USBポートを充電ダウンストリームポートとして特定するステップと
をさらに含む、請求項1に記載の方法。
【請求項６】
電子デバイスであって、
ユニバーサルシリアルバス(USB)ポートに結合されたUSBプラグのデータラインに電流源を印加するための手段と、
前記電流源が印加される間、前記データラインが、所定の時間期間の後、LOW状態であるのか、それともHIGH状態であるのかを判定するための手段と、
前記データラインが前記LOW状態であるとき、前記USBポートをダウンストリームポートとして特定するための手段と、
前記データラインが前記HIGH状態であるとき、前記USBポートを専用充電ポートとして特定するための手段と
を備える電子デバイス。
【請求項７】
前記電流源が、データ接触検出段階の一部として前記データラインに印加される、請求項6に記載の電子デバイス。
【請求項８】
前記電流源が、
データマイナスラインにおけるプルダウン抵抗が無効にされる間、前記USBプラグのデータプラスラインに印加されるか、または
前記USBプラグのデータマイナスラインに印加される
請求項6に記載の電子デバイス。
【請求項９】
前記USBポートをダウンストリームポートとして特定した後、前記データラインから前記電流源を外すための手段と、
データプラスラインに電圧源を印加するための手段と、
データマイナスラインを基準電圧と比較するための手段と、
前記データマイナスラインが前記基準電圧未満であるとき、前記USBポートを標準ダウンストリームポートとして特定するための手段と、
前記データマイナスラインが少なくとも実質的に前記基準電圧に等しいとき、前記USBポートを充電ダウンストリームポートとして特定するための手段と
をさらに備える、請求項6に記載の電子デバイス。
【請求項１０】
処理回路に、
ユニバーサルシリアルバス(USB)ポートに結合されたUSBプラグのデータラインに電流源を印加させ、
前記電流源が印加される間、前記データラインが、所定の時間期間の後、LOW電圧状態であるのか、それともHIGH電圧状態であるのかを判定させ、
前記データラインが前記LOW電圧状態であるとき、前記USBポートをダウンストリームポートとして特定させ、
前記データラインが前記HIGH電圧状態であるとき、前記USBポートを専用充電ポートとして特定させる
ためのプログラミングを備えるプロセッサ可読記憶媒体。
【請求項１１】
前記電流源が、データ接触検出段階の一部として前記データラインに印加される、請求項10に記載のプロセッサ可読記憶媒体。
【請求項１２】
前記電流源が、
データマイナスラインにおけるプルダウン抵抗が無効にされる間、前記USBプラグのデータプラスラインに印加されるか、または
前記USBプラグのデータマイナスラインに印加される
請求項10に記載のプロセッサ可読記憶媒体。
【請求項１３】
前記処理回路に、
前記USBポートをダウンストリームポートとして特定した後、前記データラインから前記電流源を外させ、
データプラスラインに電圧源を印加させ、
データマイナスラインを基準電圧と比較させ、
前記データマイナスラインが前記基準電圧未満であるとき、前記USBポートを標準ダウンストリームポートとして特定させ、
前記データマイナスラインが少なくとも実質的に前記基準電圧に等しいとき、前記USBポートを充電ダウンストリームポートとして特定させる
ためのプログラミングをさらに備える、請求項10に記載のプロセッサ可読記憶媒体。
【請求項１４】
電子デバイスであって、
チャージャ検出器を備え、前記チャージャ検出器は、
ユニバーサルシリアルバス(USB)ポートに結合されたUSBプラグのデータプラスラインに電流源を印加し、
前記USBプラグのデータマイナスラインにおけるプルダウン抵抗を有効にし、
前記電流源が印加される間、前記データプラスラインが、所定の時間期間の間、HIGH電圧に留まっていることを検出し、
前記データプラスラインが、前記所定の時間期間の間、HIGH電圧に留まったという前記検出に応答して、前記USBポートを専有ポートとして特定する
ように適合されている、電子デバイス。
【請求項１５】
電子デバイスにおいて動作する方法であって、
ユニバーサルシリアルバス(USB)ポートに結合されたUSBプラグのデータプラスラインに電流源を印加するステップと、
前記USBプラグのデータマイナスラインにおけるプルダウン抵抗を有効にするステップと、
前記電流源が印加される間、前記データプラスラインが、所定の時間期間の間、HIGH状態に留まっていることを判定するステップと、
前記データプラスラインが、前記所定の時間期間の間、前記HIGH状態に留まったという判定に応答して、前記USBポートを専有ポートとして特定するステップと
を含む方法。
【手続補正書】
【提出日】平成29年11月9日(2017.11.9)
【手続補正１】
【補正対象書類名】特許請求の範囲
【補正対象項目名】全文
【補正方法】変更
【補正の内容】
【特許請求の範囲】
【請求項１】
患者の血管をイメージングするための医療イメージングシステムであって、
医療イメージングシステムインターフェイスが動作する１つ又は複数のプロセッサを有するコンソールと、
前記１つ又は複数のプロセッサ、及び患者インターフェイスモジュール（ＰＩＭ）と通信する収集カードと、
前記ＰＩＭと通信し、フレキシブルな細長い部材の遠位端に配置された血管内イメージング要素と
を含み、
前記医療イメージングシステムインターフェイスは、ユーザーによって選択可能な複数の設定グループを提供し、前記設定グループは、それぞれ、前記血管内の所望の観察ターゲットのイメージングに最適な収集前パラメータ及び収集後パラメータを有する、システム。
【請求項２】
前記医療イメージングシステムインターフェイスは、ベッドサイドコントローラ、タッチスクリーン、及び／又はキーボード及びマウスを介して入力を受け取る、請求項１に記載の医療イメージングシステム。
【請求項３】
前記複数の設定グループのうちの１つが、前記医療イメージングシステムインターフェイスを介して前記ユーザーによって選択される、請求項１に記載の医療イメージングシステム。
【請求項４】
前記血管内イメージング要素は、血管内超音波ＩＶＵＳ要素である、請求項１に記載の医療イメージングシステム。
【請求項５】
前記血管内イメージング要素は、光干渉断層法要素である、請求項１に記載の医療イメージングシステム。
【請求項６】
前記収集前パラメータは、少なくともＰＩＭゲイン及び収集カードゲインを含み、前記収集後パラメータは、ソフトウェアゲインを含む、請求項１に記載の医療イメージングシステム。
【請求項７】
前記複数の設定グループは、ステント観察のためのステント設定グループ、及び軟部組織観察のための軟部組織設定グループを少なくとも含む、請求項１に記載の医療イメージングシステム。
【請求項８】
前記収集前パラメータ及び前記収集後パラメータは、ゲインパラメータ、ＴＧＣ（time gain compensation）パラメータ、コントラストパラメータ、及びフィルタのうちの少なくとも１つを含む、請求項１に記載の医療イメージングシステム。
【請求項９】
前記血管内イメージング要素から収集されたイメージングデータを保存するためのデータベースをさらに含む、請求項１に記載の医療イメージングシステム。
【請求項１０】
前記複数の設定グループのうちの１つを記録されたイメージングデータに適用することは、選択可能な設定グループの前記収集後パラメータを適用することを含む、請求項９に記載の医療イメージングシステム。
【請求項１１】
選択された選択可能な設定グループの前記収集前パラメータ及び／又は前記収集後パラメータは、前記医療イメージングシステムインターフェイスを介して前記ユーザーから受け取られた入力によって変更される、請求項１に記載の医療イメージングシステム。
【請求項１２】
選択された設定グループの適用は、前記収集カードに少なくとも１つのパラメータを送信し、及び前記ＰＩＭに少なくとも１つのパラメータを送信することを含む、請求項１に記載の医療イメージングシステム。
【請求項１３】
前記選択された設定グループの適用は、前記血管内イメージング要素に少なくとも１つのパラメータを送信することをさらに含む、請求項１２に記載の医療イメージングシステム。
【請求項１４】
前記医療イメージングシステムインターフェイスによって前記ユーザーに提供される前記複数の設定グループ内の設定グループは、医療イメージング要素の種類に依存する、請求項１に記載の医療イメージングシステム。
【請求項１５】
医療イメージングシステムの１つ又は複数のプロセッサによって実行されたとき、医療画像を最適に観察するための方法を前記医療イメージングシステムに実行させる命令を含むコンピュータ可読媒体であって、前記方法は、
医療イメージングシステムインターフェイス内の複数の設定グループから所望の設定グループを選択するステップであって、前記複数の設定グループは、それぞれ、血管内の所望の観察ターゲットのイメージングに最適な収集前パラメータ及び収集後パラメータを有する、ステップと、
前記所望の設定グループのパラメータを収集パイプラインの構成要素に伝えるステップと、
前記収集パイプラインを通して、前記観察ターゲットにおいてイメージングデータを収集するステップと
を含む、コンピュータ可読媒体。
【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
（ａ）ハーネスと、
（ｂ）マスク本体と、
を備える濾過フェースピースレスピレータであって、
前記マスク本体は、
（ｉ）濾過層を含む濾過構造体であって、マスク本体内面及びマスク本体外面を画定する、濾過構造体と、
（ｉｉ）上部セグメント及び下部セグメントを備える周辺部と、
（ｉｉｉ）前記周辺部の前記上部セグメントに近接する前記内面上の増加した摩擦係数の領域であって、少なくとも０．５の摩擦係数、少なくとも１００ｃｆｍ／ｆｔ２の透過性、及び０．５ｍｍ以下の厚さを有する摩擦部材を備える領域と、
を備える、濾過フェースピースレスピレータ。
【請求項２】
前記周辺部の前記下部セグメントに近接する前記内面上の増加した摩擦係数の前記領域を更に有する、請求項１に記載の濾過フェースピースレスピレータ。
【請求項３】
前記周辺部の前記上部セグメントに近接する増加した摩擦係数の前記領域及び前記周辺部の前記下部セグメントに近接する増加した摩擦係数の前記領域が、増加した摩擦係数の連続領域を形成する、請求項２に記載の濾過フェースピースレスピレータ。
【手続補正書】
【提出日】平成29年10月6日(2017.10.6)
【手続補正１】
【補正対象書類名】明細書
【補正対象項目名】００２２
【補正方法】変更
【補正の内容】
【００２２】
別の実施形態によれば、エンボスの深さは、エンボス加工されていないベースシートのキャリパーの約１．２５から約３．５倍、例えば、約１．５から約２．５倍、例えば、約１．５から約２．０倍である。２層を使用する実施形態では、このようにすると、消費者の好む外見を備えた良好な層の重なりを保ちつつ、最終製品のキャリパーを、エンボス加工していない層を２枚合わせた場合に予想されるキャリパーより若干小さくすることができる。これによって、完成品密度の高い高性能の構造化ベースシート製品の製造が可能となる。本発明で使用するエンボス加工深さは、一般に、少なくとも約３０ミル（７６２μｍ）、例えば、少なくとも約３５ミル（８８９μｍ）、例えば、少なくとも約４０ミル（１０１６μｍ）、少なくとも約４５ミル（１１４３μｍ）、例えば、少なくとも約５０ミル（１２７０μｍ）である。文中に示されているように、エンボス加工深さは、エンボスロール上の大部分の要素の高さに相当する。
【手続補正２】
【補正対象書類名】明細書
【補正対象項目名】００３４
【補正方法】変更
【補正の内容】
【００３４】
文中で使用されている“約”は、実験誤差による変動を説明することを意図している。全ての測定値は、別途具体的に述べられない限り、“約”が明確に示されていなくても、用語“約”で修飾されているものとする。つまり、例えば、“少なくとも３０ｍｍのエンボス深さ”という記述は、“少なくとも約３０ミルのエンボス深さ”を意味するものとする。
【手続補正３】
【補正対象書類名】明細書
【補正対象項目名】００５２
【補正方法】変更
【補正の内容】
【００５２】
表３に、現在市販されている非線状エンボス模様を、市販品のエンボス深さと４５ミルの深さの両方で付けた、エンボス加工ペーパータオル製品の製品特性を示す。表３の第３列目では、４５ミルのエンボス加工を行った製品と、表２に示した、エンボス加工していないベースシートとを比較する。表３、第３列目から分かるように、製品のキャリパーは、エンボス加工により６．２２％大きくなった。湿潤引張強さは殆ど影響を受けないままであった。
【手続補正４】
【補正対象書類名】明細書
【補正対象項目名】００５４
【補正方法】変更
【補正の内容】
【００５４】
【表５】
2016540530.tif 000001
【手続補正５】
【補正対象書類名】明細書
【補正対象項目名】００５５
【補正方法】変更
【補正の内容】
【００５５】
【表６】
2016540530.tif 000002
【手続補正６】
【補正対象書類名】明細書
【補正対象項目名】００５６
【補正方法】変更
【補正の内容】
【００５６】
【表７】
2016540530.tif 000003
【手続補正７】
【補正対象書類名】明細書
【補正対象項目名】００５７
【補正方法】変更
【補正の内容】
【００５７】
【表８】
2016540530.tif 000004
【手続補正８】
【補正対象書類名】明細書
【補正対象項目名】００５９
【補正方法】変更
【補正の内容】
【００５９】
【表９】
2016540530.tif 000005
【手続補正９】
【補正対象書類名】明細書
【補正対象項目名】００６０
【補正方法】変更
【補正の内容】
【００６０】
【表１０】
2016540530.tif 000006
【手続補正１０】
【補正対象書類名】明細書
【補正対象項目名】００６１
【補正方法】変更
【補正の内容】
【００６１】
【表１１】
2016540530.tif 000007
【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
-関心ボリュームの超音波スキャンからもたらされる超音波データの少なくとも一つのセットをリアルタイムに受信し、評価し、前記超音波データに基づいて対応する画像データを供給するための画像処理ユニットと、
-前記画像データに基づいて超音波画像を表示するためのディスプレイユニットと、
-前記超音波データに基づいて陰影領域及び前記関心ボリューム内のその存在を検出するように構成される評価ユニットと
を有する超音波イメージングアセンブリであって、
前記画像処理ユニットは前記陰影領域の複数の異なる二次元スライスの超音波画像データを決定するように構成され、前記スライスは互いに横切る方向に配置され、前記ディスプレイユニットは前記各々の二次元スライスに対応する各々の前記超音波画像データ内に前記検出される陰影領域の対応する断面図のグラフィック描出を表示するように構成される、
超音波イメージングアセンブリ。
【請求項２】
前記評価ユニットは前記検出される陰影領域のサイズを決定するように構成され、前記ディスプレイユニットは前記超音波画像内の前記陰影領域の前記サイズに対応するグラフィック描出を表示するように構成される、請求項１に記載の超音波イメージングアセンブリ。
【請求項３】
前記評価ユニットは前記関心ボリューム内に複数の陰影領域を検出するように構成され、前記ディスプレイユニットは前記複数の陰影領域の断面図を表示するように更に構成される、請求項１に記載の超音波イメージングアセンブリ。
【請求項４】
前記陰影領域の前記異なる二次元スライスの位置はオペレータによって決定される、請求項１に記載の超音波イメージングアセンブリ。
【請求項５】
前記ディスプレイは、前記表示される超音波画像内に前記陰影領域の前記グラフィック描出を強調するように構成される、請求項１に記載の超音波イメージングアセンブリ。
【請求項６】
前記画像処理ユニットは、前記超音波の伝播の方向に対応する前記陰影領域の平面図の画像データを決定するように更に構成され、前記ディスプレイユニットは、前記平面図画像データを表示するように構成される、請求項１に記載の超音波イメージングアセンブリ。
【請求項７】
前記評価ユニットは、前記超音波の伝播の方向における前記陰影領域のサイズを決定するように構成され、前記ディスプレイユニットは、前記平面図画像データにおいて前記陰影領域の前記サイズを表示するように構成される、請求項６に記載の超音波イメージングアセンブリ。
【請求項８】
超音波画像を表示するための方法であって、
- 関心ボリュームの超音波スキャンからもたらされる超音波データの少なくとも一つのセットを受信するステップと、
- 前記超音波データの少なくとも一つのセットを評価するステップと、
- 前記超音波データに基づいて対応する画像データを供給するステップと、
- 前記画像データに基づいて超音波画像をディスプレイユニット上に表示するステップと、
-前記超音波データに基づいて陰影領域が存在するか及び前記関心ボリューム内のその存在を検出するステップと、
- 前記陰影領域の複数の異なる二次元スライスの超音波画像データを決定し、前記スライスは互いに横切る方向に配置され、前記ディスプレイユニット上における前記複数の二次元スライスの各々の前記超音波画像データ内の前記検出される陰影領域の対応する断面図のグラフィック描出を表示するステップと
を有する、方法。
【請求項９】
前記超音波トランスデューサユニットから受信される超音波データを評価して、表示するための請求項１に記載の超音波イメージングアセンブリ並びに超音波を送信及び受信するための複数の超音波トランスデューサ素子を含む超音波トランスデューサユニットを有する超音波トランスデューサアセンブリ。
【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
生体液から循環核酸を抽出するための方法であって、
連続工程：
ａ．循環核酸が含有されていると予想される生体液を供給する工程；
ｂ．該生体液を：
−少なくともカオトロピック剤を含む溶解溶液；
−少なくとも、該循環核酸の少なくとも一部と協働するように設計されたＰＥＧ誘導体を含む結合溶液であって、エタノールおよびイソプロパノールを無含有の結合溶液；
−該循環核酸の少なくとも一部を捕捉し得る固相支持体
と接触させる工程；
ｃ．前記固相支持体を、該溶解溶液、該結合溶液および該生体液から分離する工程
を含む、生体液から循環核酸を抽出するための方法。
【請求項２】
該循環核酸は、短鎖循環核酸と長鎖循環核酸とを含む、請求項１に記載の方法。
【請求項３】
該固相支持体は、該短鎖循環核酸の少なくとも一部を捕捉し得るものである、請求項２に記載の方法。
【請求項４】
さらに、工程ａ）と工程ｂ）との間に、該生体液中に存在している残屑の少なくとも一部を廃棄するための濾過工程を含む、請求項１〜３のいずれか１項に記載の方法。
【請求項５】
さらに、前記生体液中に含まれた該循環核酸の少なくとも一部が回収されるように前記固相支持体によって捕捉された該循環核酸の少なくとも一部を放出させるための放出工程を、工程ｃ）の後に含む、請求項１〜４のいずれか１項に記載の方法。
【請求項６】
前記固相支持体によって捕捉された該循環核酸の前記少なくとも一部が前記固相支持体から、加熱器を流体運動と組み合せて使用することにより放出される、請求項５に記載の方法。
【請求項７】
さらに、該生体液中に存在している該循環核酸を増幅させるための核酸増幅工程を、工程ｃ）の後に含む、請求項１〜６のいずれか１項に記載の方法。
【請求項８】
該固相支持体は、該生体液中に存在している該循環核酸の少なくとも一部を、前記固相支持体と前記循環核酸間の静電的相互作用によって捕捉し得るものである、請求項１〜７のいずれか１項に記載の方法。
【請求項９】
該固相支持体は、少なくとも膜を備えたものである、請求項１〜８のいずれか１項に記載の方法。
【請求項１０】
該固相支持体は、複数の粒子を備えたものである、請求項１〜９のいずれか１項に記載の方法。
【請求項１１】
該粒子は、シラン処理粒子、酸化物粒子および磁性粒子からなる群より選択される、請求項１０に記載の方法。
【請求項１２】
該固相支持体は、複数の磁性粒子を備えたものである、請求項１〜１０のいずれか１項に記載の方法。
【請求項１３】
工程ｃ）において、前記粒子の少なくとも一部は、該結合溶液および該生体液から、該粒子の最短寸法よりも小さい孔を有するフィルター（３８）を少なくとも使用することにより分離される、請求項１２に記載の方法。
【請求項１４】
工程ｃ）において、前記粒子の少なくとも一部は、該結合溶液および該生体液から磁気的作用によって分離される、請求項１２または１３に記載の方法。
【請求項１５】
前記固相支持体を該溶解溶液、該結合溶液および該生体液から分離する該工程ｃ）は、少なくとも、粒子の保持が可能で、核酸を結合しないフィルターを使用する濾過によって行なわれる、請求項１０〜１４のいずれか１項に記載の方法。
【請求項１６】
該フィルターは、ポリエーテルスルホン（ＰＥＳ）フィルター、ホウケイ酸ガラスマイクロファイバーフィルター、セルロースフィルターまたは非対称ポリスルホンフィルターである、請求項１５に記載の方法。
【請求項１７】
カートリッジ（１）内で行なわれる自動化された方法であり、前記カートリッジ（１）は機器によって操作されるように設計されている、請求項１〜１６のいずれか１項に記載の方法。
【請求項１８】
該ＰＥＧ誘導体は、約６０００Ｄａ〜約１００００Ｄａの分子量を有する、請求項１〜１７のいずれか１項に記載の方法。
【請求項１９】
該循環核酸は、循環ＤＮＡを含む、請求項１〜１８のいずれか１項に記載の方法。
【請求項２０】
前記固相支持体を洗浄するための洗浄溶液による洗浄工程を更に含む方法であって、該洗浄溶液がアルコールを無含有のものである、請求項１〜１９のいずれか１項に記載の方法。
【請求項２１】
エタノールおよび／またはイソプロパノール系の溶媒に対して感受性のある成分を備えた使い捨てカートリッジと適合性がある、請求項１〜２０のいずれか１項に記載の方法。
【手続補正書】
【提出日】平成29年11月20日(2017.11.20)
【手続補正１】
【補正対象書類名】特許請求の範囲
【補正対象項目名】全文
【補正方法】変更
【補正の内容】
【特許請求の範囲】
【請求項１】
Ｃ１７ｏｒｆ９９ポリペプチド遺伝子産物（ＩＬ４０）に対する抗体であって、
ａ）ＩｇＧ、ＩｇＭ、ＩｇＡ、ＩｇＤまたはＩｇＥ；
ｂ）モノクローナル抗体；
ｃ）Ｆａｂ'、Ｆａｂ、Ｆ（ａｂ'）2、シングルドメイン抗体（ｓｄＡｂ）、ＦｖまたはｓｃＦｖ（単鎖Ｆｖ）；
ｄ）標識抗体；
ｅ）中和抗体；または
ｆ）ａ）〜ｅ）の任意の組み合わせである、
前記抗体。
【手続補正書】
【提出日】平成29年11月14日(2017.11.14)
【手続補正１】
【補正対象書類名】特許請求の範囲
【補正対象項目名】全文
【補正方法】変更
【補正の内容】
【特許請求の範囲】
【請求項１】
ヒトカリクレイン−２（ｈＫ２）に対する結合特異性を持つ抗体ポリペプチドであって、前記抗体ポリペプチドは：
（ａ）配列番号８のアミノ酸配列を含むまたはそれからなる重鎖可変領域；および
（ｂ）配列番号９のアミノ酸配列を含むまたはそれからなる軽鎖可変領域；
を含む、前記抗体ポリペプチド。
【請求項２】
完全な抗体、またはＦｖフラグメント、Ｆａｂ様フラグメント、およびドメイン抗体からなる群から選択される抗原結合フラグメント、を含むまたはそれからなる、請求項１に記載の抗体ポリペプチド。
【請求項３】
重鎖定常領域またはその部分をさらに含み、前記重鎖定常領域は、ＩｇＧ１、ＩｇＧ２、ＩｇＧ３およびＩｇＧ４からなる群から選択される免疫グロブリンサブタイプのものである、請求項１または２に記載の抗体ポリペプチド。
【請求項４】
軽鎖定常領域またはその部分をさらに含み、前記軽鎖定常領域は、κまたはλ軽鎖のものである、請求項１〜３のいずれか１項に記載の抗体ポリペプチド。
【請求項５】
配列番号１０のアミノ酸配列を含むもしくはそれからなる重鎖定常領域、および／または、配列番号１１のアミノ酸配列を含むもしくはそれからなる軽鎖定常領域を含む、請求項３または４に記載の抗体ポリペプチド。
【請求項６】
配列番号１２のアミノ酸配列を含むもしくはそれからなる重鎖、および／または、配列番号１３のアミノ酸配列を含むもしくはそれからなる軽鎖を含む、請求項１〜５のいずれか１項に記載の抗体ポリペプチド。
【請求項７】
抗体ポリペプチドが、直接または間接的に治療部分に連結されている、請求項１〜６のいずれか１項に記載の抗体ポリペプチド。
【請求項８】
治療部分は、１つまたはそれ以上の放射性同位元素を含むまたはそれからなる細胞障害性部分である、請求項７に記載の抗体ポリペプチド。
【請求項９】
１つまたはそれ以上の放射性同位元素は、β放射体、オージェ−放射体、転換電子放射体、α放射体および低光子エネルギー放射体からなる群からそれぞれ独立に選択される、請求項８に記載の抗体ポリペプチド。
【請求項１０】
１つもしくはそれ以上の放射性同位元素は、90Ｙ、32Ｐ、186Ｒｅ／188Ｒｅ、166Ｈｏ、76Ａｓ／77Ａｓ、153Ｓｍのような長距離β放射体；131Ｉ、177Ｌｕ、67Ｃｕ、161Ｔｂのような中距離β放射体；45Ｃａまたは35Ｓまたは14Ｃのような低エネルギーβ放射体；51Ｃｒ、67Ｇａ、99Ｔｃm、111Ｉｎ、123Ｉ、125Ｉ、201Ｔｌのような転換もしくはオージェ放射体；ならびに212Ｂｉ、213Ｂｉ、225Ａｃおよび221Ａｔのようなα放射体からなる群からそれぞれ独立に選択される、請求項９に記載の抗体ポリペプチド。
【請求項１１】
抗体ポリペプチドが、検出可能な部分をさらに含む、請求項１〜１０のいずれか１項に記載のる抗体ポリペプチド。
【請求項１２】
検出可能な部分は、放射性同位元素を含むまたはそれからなる、請求項１１に記載の抗体ポリペプチド。
【請求項１３】
放射性同位元素は、99mＴｃ、111Ｉｎ、67Ｇａ、68Ｇａ、72Ａｓ，89Ｚｒ、123Ｉおよび201Ｔｌからなる群から選択される、請求項１２に記載の抗体ポリペプチド。
【請求項１４】
治療部分および／または検出可能な部分は、連結部分を介して間接的に抗体ポリペプチドに繋がれている、請求項７〜１３のいずれか１項に記載の抗体ポリペプチド。
【請求項１５】
連結部分は、１，４，７，１０−テトラアザシクロドデカン−１，４，７，１０四酢酸（ＤＯＴＡ）の誘導体、デフェロキサミン（ＤＦＯ）、ジエチレントリアミン五酢酸（ＤＴＰＡ）の誘導体、Ｓ−２−（４−イソチオシアナトベンジル）−１，４，７−トリアザシクロノナン−１，４，７三酢酸（ＮＯＴＡ）の誘導体、および１，４，８，１１−テトラアザシクロドデカン−１，４，８，１１四酢酸（ＴＥＴＡ）の誘導体からなる群から選択されるキレート化剤である、請求項１４に記載の抗体ポリペプチド。
【請求項１６】
請求項１〜１５のいずれか１項に記載の抗体ポリペプチド、またはそのポリペプチド鎖成分をコードする、単離された核酸分子。
【請求項１７】
配列番号１４および／または配列番号１５のヌクレオチド配列を含む、請求項１６に記載の核酸分子。
【請求項１８】
請求項１６または１７に記載の核酸分子を含む、組換え宿主細胞。
【請求項１９】
請求項１〜１５のいずれか１項に記載の抗体ポリペプチドおよび薬学的に許容できる賦形剤、希釈剤または担体を含む、医薬組成物。
【請求項２０】
医薬における使用のための、請求項１〜１５のいずれか１項に記載の抗体ポリペプチド。
【請求項２１】
前立腺癌の治療および／または診断における使用のための、請求項１〜１５のいずれか１項に記載の抗体ポリペプチド。
【請求項２２】
治療しようとする前立腺癌は、転移性前立腺癌、場合により微小転移性前立腺癌である、請求項２１に記載の抗体ポリペプチド。
【請求項２３】
治療しようとする転移性前立腺癌は、リンパ系の転移；骨（脊椎、椎骨、骨盤、肋骨を含む）の転移；骨盤、直腸、膀胱、尿道内転移である、請求項２２に記載の抗体ポリペプチド。
【請求項２４】
治療しようとする前立腺癌は、去勢抵抗性前立腺癌（ＣＲＰＣ）である、請求項２１〜２３のいずれか１項に記載の抗体ポリペプチド。
【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
チャンバ及び第１の軸に沿う流路を有する弁体と、
第２の軸に沿って延びる心棒と、
前記心棒に連結された流れ制御アセンブリと、を有する弁、を備えるシステムであって、
前記心棒が、前記流れ制御アセンブリを、前記流路に対して閉位置及び開位置の間で、前記チャンバを通して選択的に移動させるように構成されており、
前記流れ制御アセンブリが、
第１の流れ制御要素と、
第２の流れ制御要素と、を含み、前記第１及び第２の流れ制御要素が、前記流れ制御アセンブリの前記閉位置において、前記チャンバと前記流路との間にシールを形成するために、互いに対して拡張するように構成されており、前記第１及び第２の流れ制御要素が、前記流れ制御アセンブリの前記開位置において、前記チャンバと前記流路との間に隙間を開けるために、互いに対して縮小するように構成されている、
システム。
【請求項２】
前記流れ制御アセンブリが、前記流れ制御アセンブリが前記開位置から前記閉位置に移動するにつれて、前記第１及び第２の流れ制御要素を互いに対して徐々に拡張させるように構成された、カム境界面を含む、請求項１に記載のシステム。
【請求項３】
前記カム境界面が、前記第１の流れ制御要素の第１のテーパ表面と、前記第２の流れ制御要素の第２のテーパ表面と、を含む、請求項２に記載のシステム。
【請求項４】
前記流れ制御アセンブリが、前記前記流れ制御アセンブリが前記閉位置から前記開位置に移動するにつれて、前記第１及び第２の流れ制御要素が互いに対して縮小するのを補助するように構成された、バイアス構造を含む、請求項２に記載のシステム。
【請求項５】
前記バイアス構造が、ばねを含む、請求項４に記載のシステム。
【請求項６】
前記バイアス構造が、湾曲ガイドを含む、請求項４に記載のシステム。
【請求項７】
前記湾曲ガイドが、前記第１の流れ制御要素上の第１のガイドピンと、前記第２の流れ制御要素上の第２のガイドピンと、に沿って配置されている、請求項６に記載のシステム。
【請求項８】
前記湾曲ガイドが、前記第２の流れ制御要素上の第３のガイドピンに沿って配置されている、請求項６に記載のシステム。
【請求項９】
前記湾曲ガイドが、前記第１及び第２の流れ制御要素を互いに連結している、請求項６に記載のシステム。
【請求項１０】
前記第１及び第２の流れ制御要素が、前記第２の軸に沿った軸方向において、少なくとも部分的に互いに重複している、請求項３に記載のシステム。
【請求項１１】
前記第１及び第２の流れ制御要素が、前記第２の軸に沿った軸方向において、互いに重複していない、請求項３に記載のシステム。
【請求項１２】
前記第２の軸に沿って延び、前記第１及び第２の流れ制御要素に連結された軸方向のジョイントを備える、請求項１１に記載のシステム。
【請求項１３】
心棒に連結されるように構成された第１の流れ制御要素と、
前記第１の流れ制御要素に連結された第２の流れ制御要素と、を備え、前記第１及び第２の流れ制御要素が、閉位置において、弁体におけるチャンバと流路との間にシールを形成するために、互いに対して拡張するように構成されており、前記第１及び第２の流れ制御要素が、開位置において、流体が前記チャンバと前記流路との間を流れることを可能にするように構成されている、
システム。
【請求項１４】
前記第１の流れ制御要素が、第１の斜面を含む第１の部分を有し、前記第２の流れ制御要素が、第２の斜面を含む第２の部分を有し、前記第１の斜面が、前記シールを形成するために前記第１の流れ制御要素及び前記第２の流れ制御要素を軸方向に拡張するように、前記第２の斜面に係合するように構成されている、請求項１３に記載のシステム。
【請求項１５】
前記第１の流れ制御要素が、第３の表面を含む第３の部分を有し、前記第２の流れ制御要素が、第４の表面を含む第４の部分を有し、前記第３の表面及び前記第４の表面が、前記第１の流れ制御要素及び前記第２の流れ制御要素を軸方向に拡張させること無しに、互いに摺動するように構成されている、請求項１３に記載のシステム。
【請求項１６】
前記第１の流れ制御要素が、前記開位置において前記第１及び第２の流れ制御要素の拡張を防止するために、覆いと係合するように構成されたフランジを有する、請求項１３に記載のシステム。
【請求項１７】
前記第２の流れ制御要素が、前記第１の流れ制御要素が覆いの座ぐり内に完全に引っ込められたときに、覆いと前記第２の流れ制御要素との間の接触を防止するように構成された、截頭された第１の端部を有する、請求項１３に記載のシステム。
【請求項１８】
流路及びチャンバを有する弁体と、
通路及び流れ制御要素用の座ぐりを有する、前記弁体に連結された覆いと、
前記通路を通って延びる心棒と、
前記心棒に連結された第１の流れ制御要素と、
前記第１の流れ制御要素に連結された第２の流れ制御要素と、
を備え、前記第１及び第２の流れ制御要素が、閉位置において、前記弁体における前記チャンバと前記流路との間にシールを形成するために、互いに対して拡張するように構成されており、前記第１及び第２の流れ制御要素が、開位置において、前記チャンバと前記流路との間に隙間を開けるために、互いに対して縮小するように構成されている、
システム。
【請求項１９】
前記座ぐりの直径が、前記第１の流れ制御要素及び前記第２の流れ制御要素が前記開位置において互いに連結されたときの直径よりも大きい、請求項１８に記載のシステム。
【請求項２０】
前記第１の流れ制御要素内の心棒孔が、前記心棒が前記第１の流れ制御要素の前記心棒孔内に完全に挿入されたときに、前記第２の流れ制御要素と前記覆いとの間の接触を防止するように構成された深さを画定している、請求項１８に記載のシステム。
【手続補正書】
【提出日】平成29年9月8日(2017.9.8)
【手続補正１】
【補正対象書類名】特許請求の範囲
【補正対象項目名】全文
【補正方法】変更
【補正の内容】
【特許請求の範囲】
【請求項１】
計測ターゲットをデザインする方法であって、
ターゲットデザインにおける連続領域を識別するステップと、
前記識別された連続領域に特定の充填要素を導入するステップと、
を包含しており、
前記導入された充填要素のパラメータが、コントラスト要件と製造を介して前記識別している連続領域に関連付けられている不正確さ要件との間のトレードオフによって決定され、
前記識別ステップ及び前記導入ステップの少なくとも一つが、少なくとも一つのコンピュータプロセッサによって実行される、方法。
【請求項２】
前記識別ステップがターゲット要素の少なくとも一つの背景エリアで実行され、前記コントラスト要件がその背景エリアに対するターゲット要素のコントラストに関係している、請求項１に記載の方法。
【請求項３】
前記不正確さ要件が回転項である、請求項１に記載の方法。
【請求項４】
前記特定の充填要素が少なくとも一つの周期的構造を備えている、請求項１に記載の方法。
【請求項５】
前記特定の充填要素は第１の特定のパラメータを有する少なくとも一つの第１の周期的構造を備えており、ターゲット要素は第２の特定のパラメータを有する少なくとも一つの第２の周期的構造を備えており、さらに、前記第１の特定のパラメータを、前記コントラスト要件を満たす程度まで前記第２の特定のパラメータから異なるように選択するステップをさらに包含する、請求項１に記載の方法。
【請求項６】
前記第１及び第２の特定のパラメータは、第１周期的構造と第２周期構造に関する相違を有し、前記相違は、それらのピッチ、それらの方向、それらのパターン、その中のセグメントの寸法、その中のセグメントのアスペクト比、及び、それらのトポグラフィ、のうちの少なくとも一つを備える、請求項５に記載の方法。
【請求項７】
前記導入ステップが特定のデザインルールにしたがって実行される、請求項１に記載の方法。
【請求項８】
カッティングマスクを使用して前記充填要素を製造するステップをさらに包含する、請求項１に記載の方法。
【請求項９】
請求項１に記載の方法により製造されたターゲットデザインファイル。
【請求項１０】
請求項１に記載の方法にしたがって製造された計測ターゲット。
【請求項１１】
請求項１０に記載の計測ターゲットを製造するように構成された、製造器具。
【請求項１２】
計測ターゲットを計測するように構成された計測測定器具であって、前記計測ターゲットは、
ターゲットデザインにおける連続領域を識別するステップと、
前記識別された連続領域に特定の充填要素を導入するステップと、
を包含する方法により製造され、
前記導入された充填要素のパラメータが、コントラスト要件と製造を介して前記識別している連続領域に関連付けられている不正確さ要件との間のトレードオフによって決定され、
前記識別ステップ及び前記導入ステップの少なくとも一つが、少なくとも一つのコンピュータプロセッサによって実行される、
計測測定器具。
【請求項１３】
所与のターゲットデザインにおける識別された連続領域に導入された特定の充填要素を備え、前記導入された充填要素のパラメータがコントラスト要件と製造を介して前記識別している連続領域に関連付けられている不正確さ要件との間のトレードオフによって決定される、計測ターゲット。
【請求項１４】
少なくとも一つのセグメント化されたターゲット要素と、
前記少なくとも一つのセグメント化されたターゲット要素の少なくとも一つの背景エリアと、
を備えており、
前記特定の充填要素が前記少なくとも一つの背景エリアにおける識別された連続領域に導入され、前記コントラスト要件が背景エリアに対するターゲット要素のコントラストに関する、請求項１３に記載の計測ターゲット。
【請求項１５】
前記特定の充填要素は第１の特定のパラメータを有する少なくとも一つの第１の周期的構造を備えており、ターゲット要素は第２の特定のパラメータを有する少なくとも一つの第２の周期的構造を備えており、前記第１の特定のパラメータは、前記コントラスト要件を満たす程度まで前記第２の特定のパラメータから異なるように選択される、請求項１３に記載の計測ターゲット。
【請求項１６】
前記ターゲット要素がセグメント化されており、前記識別された連続領域における前記充填要素の密度が前記ターゲット要素のセグメント化の半分と１／１０との間である、請求項１５に記載の計測ターゲット。
【請求項１７】
前記第１及び第２の特定のパラメータは、第１周期的構造と第２周期構造に関する相違を有し、前記相違は、それらのピッチ、それらの方向、それらのパターン、その中のセグメントの寸法、その中のセグメントのアスペクト比、及び、それらのトポグラフィ、のうちの少なくとも一つを備える、請求項１５に記載の計測ターゲット。
【請求項１８】
ウエハレベルで使用されるときに、回転項を特定の閾値より低く抑えるように構成されている、請求項１３に記載の計測ターゲット。
【請求項１９】
前記特定の充填要素が少なくとも一つの周期的構造を備えている、請求項１３に記載の計測ターゲット。
【請求項２０】
特定のデザインルールに対応している、請求項１３に記載の計測ターゲット。
【請求項２１】
前記識別された連続領域は、少なくとも３００ｎｍ幅である、請求項１３に記載の計測ターゲット。
【請求項２２】
請求項１３に記載の計測ターゲットを測定するように構成された、計測測定器具。
【請求項２３】
請求項１３に記載の計測ターゲットを製造するように構成された、製造器具。
【請求項２４】
コンピュータ装置であって、
コンピュータ読み取り可能な複数のインストラクションを記憶するメモリと、
前記複数のインストラクションを実行するプロセッサであり、
ターゲットデザインにおける連続領域を識別し、
前記識別された連続領域に特定の充填要素を導入し、前記導入された充填要素のパラメータが、コントラスト要件と製造を介して前記識別している連続領域に関連付けられている不正確さ要件との間のトレードオフによって決定される、プロセッサと、
を備えるコンピュータ装置。
【請求項２５】
前記プロセッサは、前記複数のインストラクションを実行し、カッティングマスクを使用して前記充填要素を製造する、
請求項２４に記載のコンピュータ装置。
【手続補正書】
【提出日】平成29年11月9日(2017.11.9)
【手続補正１】
【補正対象書類名】特許請求の範囲
【補正対象項目名】全文
【補正方法】変更
【補正の内容】
【特許請求の範囲】
【請求項１】
モバイルデバイスのポーズを追跡するためのモバイルデバイスにおける方法であって、前記方法が、
画像キャプチャデバイスから複数の画像を受信するステップと、
前記複数の画像のうちの1つに少なくとも部分的に基づいてポーズを計算するステップと、
ポーズ追跡フィルタモジュールに前記ポーズを送信するステップと、
第1の測定値が第1のしきい値を超えることを決定するために前記第1の測定値を前記第1のしきい値と比較するステップと、
前記第1の測定値を比較することに少なくとも部分的に基づいて深度センサを有効にするステップと、
第1の深度マップを受信するステップと、
前記第1の深度マップに部分的に基づいて深度センサポーズを計算するステップと、
前記ポーズ追跡フィルタモジュールに深度センサポーズを提供するステップと
を含む方法。
【請求項２】
前記深度センサを無効にするステップをさらに含む、請求項1に記載の方法。
【請求項３】
前記深度センサを無効にするステップが、
第2の測定値が前記第1のしきい値をもはや超えていないことを決定するために前記第2の測定値を前記第1のしきい値と比較するステップと、
前記第2の測定値を比較することに基づいて前記深度センサを無効にするステップと
を含む、請求項2に記載の方法。
【請求項４】
第2の深度マップをキャプチャするステップをさらに含み、
前記第1の深度マップに部分的に基づいて前記深度センサポーズを計算するステップが、前記第1の深度マップおよび前記第2の深度マップから前記深度センサポーズを計算するステップを含む、請求項1に記載の方法。
【請求項５】
前記第1の測定値が、慣性センサ測定値から得られた角速度のレートまたは角加速度のレートを含む、請求項1に記載の方法。
【請求項６】
前記第1の測定値が、慣性センサ測定値のノイズレベルを含む、請求項1に記載の方法。
【請求項７】
前記第1の測定値が、光レベルを含む、請求項1に記載の方法。
【請求項８】
前記第1の測定値が、不明瞭度の指示である、請求項1に記載の方法。
【請求項９】
前記第1の測定値が、画像のフレームレートである、請求項1に記載の方法。
【請求項１０】
前記ポーズ追跡フィルタモジュールが、拡張カルマンフィルタ(EKF)を備えるか、又は、
前記ポーズ追跡フィルタモジュールが、粒子フィルタを備える、請求項1に記載の方法。
【請求項１１】
前記ポーズ追跡フィルタモジュールからの推定されたポーズを計算するステップをさらに含む、請求項1に記載の方法。
【請求項１２】
モバイルデバイスのポーズを追跡するための前記モバイルデバイスであって、前記モバイルデバイスが、
画像キャプチャデバイスから複数の画像を受信するための手段と、
前記複数の画像のうちの1つに少なくとも部分的に基づいてポーズを計算するための手段と、
ポーズ追跡フィルタモジュールに前記ポーズを送信するための手段と、
第1の測定値が第1のしきい値を超えることを決定するために前記第1の測定値を前記第1のしきい値と比較するための手段と、
前記第1の測定値を比較することに少なくとも部分的に基づいて深度センサを有効にするための手段と、
第1の深度マップを受信するための手段と、
前記第1の深度マップに部分的に基づいて深度センサポーズを計算するための手段と、
前記ポーズ追跡フィルタモジュールに前記深度センサポーズを提供するための手段と
を備えるモバイルデバイス。
【請求項１３】
第2の測定値が前記第1のしきい値を超えることを決定するために前記第2の測定値を前記第1のしきい値と比較するための手段と、
前記第2の測定値を比較することに基づいて前記深度センサを無効にするための手段と
を備える前記深度センサを無効にするための手段をさらに備える、請求項12に記載のモバイルデバイス。
【請求項１４】
前記第1の測定値が、
慣性センサ測定値からの直線加速度のレート、
慣性センサ測定値からの角加速度のレート、
慣性センサ測定値のノイズレベル、
光レベル、
不明瞭度の指示、または、
画像のフレームレート
のうちの少なくとも1つを含み、および/又は、
前記ポーズ追跡フィルタモジュールからの推定されたポーズを計算するための手段をさらに備える、請求項12に記載のモバイルデバイス。
【請求項１５】
モバイルデバイスのポーズを追跡するための前記モバイルデバイスのためのプログラムコードを記憶した非一時的コンピュータ可読記憶媒体であって、前記プログラムコードが、請求項1乃至11のいずれか1項に記載の方法を実行するためのコードを備える、非一時的コンピュータ可読記憶媒体。